(57)【要約】 【課題】  薬品や医薬品または危険物等を不正に取り出して使用されること、あるいは薬品や医薬品または危険物等を不正に持ち出したりすることを防ぐことができる薬品や医薬品または危険物等の内容物の保管容器、および、これを使用した薬品や医薬品または危険物等の内容物の管理システムを提供する。【解決手段】  薬品や医薬品または危険物等の保管容器１に、電力受信用アンテナ１１と、ＲＦＩＤ１２と、前記電力受信用アンテナ１１で受信した電力で動作、あるいは前記電力と前記ＲＦＩＤ１２からの制御信号とで動作する施錠開錠機構４を、前記保管容器１に具備させ、なおかつ、薬品や医薬品または危険物等を使用する使用者のＩＤ情報と、前記薬品や医薬品または危険物等の内容物のＰＩＤ情報と、前記薬品や医薬品または危険物等の内容物の重量に関する情報とを関連付け、サーバ２０により一元的に管理する。【選択図】  図１
2010006388.tif 000002
【特許請求の範囲】
【請求項１】
収容部と蓋部とからなり、前記蓋部は前記収容部に螺合して前記収容部を開閉する保管容器であって、
無線により電力を受信する電力受信用アンテナと、
前記電力受信用アンテナと接続され、前記収容部を開閉する施錠開錠機構を具備し、
前記施錠開錠機構は、前記電力受信用アンテナが前記電力を受信しないときに施錠し、前記電力を受信したときに開錠することを特徴とする保管容器。
【請求項２】
前記保管容器の前記収容部に収容される内容物が、薬品、医薬品または危険物であることを特徴とする請求項１に記載の保管容器。
【請求項３】
前記施錠開錠機構を前記収容部に設けたことを特徴とする請求項１ないし２のいずれかに記載の保管容器。
【請求項４】
前記施錠開錠機構を前記蓋部に設けたことを特徴とする請求項１ないし２のいずれかに記載の保管容器。
【請求項５】
前記電力受信用アンテナと前記施錠開錠機構との間に接続され、前記施錠開錠機構を制御する制御回路を有するＲＦＩＤを具備したことを特徴とする請求項１ないし４のいずれかに記載の保管容器。
【請求項６】
前記ＲＦＩＤは、前記保管容器および前記保管容器の内部に収容された内容物の重量を、前記ＲＦＩＤ内のメモリ領域に記録する機能を有したことを特徴とする請求項１ないし５のいずれかに記載の保管容器。
【請求項７】
サーバと、
前記保管容器の内部に収容された内容物を保管するための保管庫と、
前記保管庫が設置された保管室の出入り口に設置され、かつ前記保管室への入室または前記保管室からの退室を制限する電気錠付ドアと、
前記保管室へ入室または前記保管室から退室する人物を特定する手段と、
前記電気錠付ドアに併設され、かつ前記保管室へ入室または前記保管室から退室する人物を特定する手段のＩＤ情報を読み取る手段と、
前記保管庫に保管されている単数または複数の前記保管容器の各々に取り付けられた電力受信用アンテナおよびＲＦＩＤと、
前記保管庫の所定の箇所に設置され、かつ前記ＲＦＩＤのＰＩＤ情報を読み取る手段とを有し、
前記ＩＤ情報、および前記ＰＩＤ情報を前記サーバへ送信する処理を行うとともに、
前記ＲＦＩＤ内のメモリ領域に格納された情報の読み取り、または前記ＲＦＩＤ内のメモリ領域への情報の書き込みを、前記ＲＦＩＤ毎に個別に行う手段と、
前記電力受信用アンテナ、および前記ＲＦＩＤに対して無線により電力を供給する手段と、
前記保管容器および前記保管容器の内部に収容された内容物の重量を計測する手段とを有し、
計測された前記保管容器および前記保管容器の内部に収容された内容物の重量に関する情報を、前記サーバへ送信し、かつ前記ＲＦＩＤのメモリ領域に記録する処理を行うよう構成したことを特徴とする内容物の管理システム。
【請求項８】
前記保管容器の前記収容部に収容される内容物が、薬品、医薬品または危険物であることを特徴とする請求項７に記載の内容物の管理システム。
【請求項９】
前記保管容器は、収容部と蓋部とからなり、前記蓋部は前記収容部に螺合して前記収容部を開閉する保管容器であって、
無線により電力を受信する前記電力受信用アンテナと、
前記電力受信用アンテナと接続され、前記収容部を開閉する施錠開錠機構を具備し、
前記施錠開錠機構は、前記電力受信用アンテナが前記電力を受信しないときに施錠し、前記電力を受信したときに開錠することを特徴とする請求項７ないし８のいずれかに記載の内容物の管理システム。
【請求項１０】
前記ＲＦＩＤは、前記電力受信用アンテナと前記施錠開錠機構との間に接続され、前記施錠開錠機構を制御する制御回路を有したことを特徴とする請求項７ないし９のいずれかに記載の内容物の管理システム。
【発明の詳細な説明】
【技術分野】
【０００１】
本発明は、薬品や医薬品または危険物等を保管するのに好適な保管容器、および本容器を使用した薬品や医薬品または危険物等の内容物の管理システムに関する。
【背景技術】
【０００２】
工業用や農業用の薬品、医薬品、毒物（毒薬）や劇物（劇薬）あるいは自然発火や引火性の高い金属粉末等の危険物については、薬事法あるいは消防法等により、その使用の制限や保管方法が厳密に規定されている。このため、使用する薬品や医薬品または危険物の識別や使用量について厳重に管理し、誤使用や不正使用あるいは不正持ち出し等を防止する必要がある。
【０００３】
このような薬品や医薬品または危険物の管理を厳重に行うための一手段として、アンテナおよびＩＣチップからなり、かつ薬剤に関する情報をＩＣチップのメモリ領域内に格納した棒形状のＲＦＩＤ（Radio  Frequency  Identification）を使用し、これを着脱可能な添付手段を用いて、薬剤が収容された容器の外側面に取り付け、ＲＦＩＤのアンテナから識別装置へ向けて送信される薬剤に関する情報に基づいて、容器内の薬剤を識別する方法が提案されている。このような技術は、例えば特許文献１に開示されている。
【０００４】
また、管理対象物、例えば薬品等が入っている瓶に、重量センサと接続されたＲＦＩＤを取り付け、薬品の固有情報、例えば名称や年月日等と、その薬品の重量の変化量に関する情報とを関連付けて管理する方法が提案されている。このような技術は、例えば特許文献２に開示されている。
【０００５】
【特許文献１】特開平８−１５０１９１号公報
【特許文献２】特開２００７−９４８６４号公報
【発明の開示】
【発明が解決しようとする課題】
【０００６】
しかしながら、上述した従来技術、例えば特許文献１に開示されている技術では、薬剤容器内部の薬剤情報を識別するためだけの手段としてＲＦＩＤを使用したものであり、セキュリティ管理、すなわちＲＦＩＤを使用して薬剤等の不正使用防止等を行うことについての言及はなされていない。従来技術において、例えば任意の人物が、薬剤容器に添付してあるＲＦＩＤを取り外し、そのまま無断で持ち出した場合、その行方を探るのは難しい。
【０００７】
これに対し、例えば特許文献２に開示されている技術では、前述したように、ＲＦＩＤを取り付けた薬品瓶等の管理対象物と、前記管理対象物の物理量の変化、例えば重量の変化量を検知する重量センサと備えた管理システムを構築し、前記重量センサが検知した変位量に基づき、例えば薬品瓶から取り出された薬品の分量が正当なものであるか、あるいは不正に取り出されたものであるのかを判別できるとしている。
【０００８】
しかしながら、管理対象物、例えば蓋を用いて開閉可能な薬品瓶のようなものは、正当な使用者あるいは不正な使用者にかかわらず誰でも容易に開閉することができる。この様な薬品瓶に入った薬品は、例えば任意の使用者が薬品瓶の蓋を開け、あらかじめ用意した等重量のダミー薬品とその中身をすり替えるなどして、持ち出される可能性がある。すなわち、従来の技術においては、薬剤あるいは薬品を収容し保管する容器の蓋の開閉までを考慮にいれたセキュリティ機能は備わっておらず、薬剤あるいは薬品を意図的に不正に取り出し使用する場合等に対して、十分なセキュリティ対策がなされているとは言えなかった。
【０００９】
本発明は、上記の問題点を解消するためになされたもので、本発明の目的は、薬品や医薬品または危険物等の内容物を不正に取り出して使用されること、あるいは薬品や医薬品または危険物等の内容物を不正に持ち出したりすることを防ぐことができる保管容器、および、薬品や医薬品または危険物等の内容物の管理システムを提供することにある。
【課題を解決するための手段】
【００１０】
上記課題を解決すべく、本発明者等は種々の検討の結果、以下の解決手段を見出した。すなわち、収容部、例えばそのネック部分がねじ切りされたボトルと、蓋部、例えばその内側面がねじ切りされたキャップとが螺合して、前記キャップを回転させて前記ボトルの口を開閉可能にする薬品や医薬品または危険物等の内容物の保管容器に対し、無線による電力、すなわち電波あるいは電磁誘導による電磁波エネルギーを受信する電力受信用アンテナ、例えばボトルの腹部の外周に沿って銅線を巻回して構成されたソレノイドコイルからなる電力受信用アンテナと、前記電力受信用アンテナによって受信された電力により前記キャップの回転を禁止または許可することを可能にする施錠開錠機構、すなわち前記電力受信用アンテナが前記電力を受信しないときに施錠状態を維持して前記キャップの回転を禁止し、かつ前記電力を受信したときに開錠状態へ切り替えて前記キャップの回転を許可することが可能である機構、つまり前記ボトルのネック部分と螺合した前記キャップの回転の制止およびその解除を電気的に制御することにより前記ボトルの口の開閉を実行することが可能である機構を具備させることが有効であることを見出した。
【００１１】
前記施錠開錠機構は、前記保管容器の収容部、例えばボトルの特定の箇所に設けるのがよいが、保管容器の形状や大きさ、あるいは内容物の形態（例えば粉末状、顆粒状、あるいはタブレット等）に合わせ、必要に応じ、前記施錠開錠機構を蓋部、例えばキャップに設けるようにしてもよい。
【００１２】
さらに、前記電力受信用アンテナと前記施錠開錠機構との間に前記施錠開錠機構を制御する制御回路を有したＲＦＩＤを具備させることが有効である。前記電力受信用アンテナおよび前記施錠開錠機構ならびに前記ＲＦＩＤは、各々が電気的に接続されている。また、前記ＲＦＩＤは、少なくとも前記制御回路とメモリを有したＩＣチップ、および無線信号の送受信と前記ＩＣチップを駆動するための無線による電力を受信するＲＦＩＤ用アンテナとを備えたものであり、前記保管容器の収容部、例えばボトル、あるいは前記保管容器の蓋部、例えばキャップのいずれかに取り付けられる。また、前記ＲＦＩＤは、外部、例えば後述する、ハンディリーダライタからの開錠命令無線信号を、前記ＲＦＩＤ用アンテナで受信し、前記施錠開錠機構を電気的に制御することが可能である。
【００１３】
また特に、前記ＲＦＩＤには、前記保管容器および前記保管容器の内容物、すなわち前記保管容器の内部に収容された薬品や医薬品または危険物等の重量に関する情報を、前記ＲＦＩＤ内のメモリ領域に記録する機能を備えるようにし、前記保管容器および前記保管容器の内容物の重量に関する情報と、前記ＲＦＩＤに格納されているＰＩＤ（Personal  ID）情報、すなわち当該内容物を識別するための、その名称、その種類あるいはその使用期限等を含む固有情報とを関連付けるとよい。
【００１４】
また、サーバと、前記電力受信用アンテナおよび前記施錠開錠機構ならびに前記ＲＦＩＤを具備した前記保管容器を用いて、薬品や医薬品または危険物等の内容物に関する情報、およびその使用者に関する情報等を一元的に管理することが可能な薬品や医薬品または危険物等の内容物の管理システムが構築可能である。
【００１５】
前記管理システムは、システム全体の管理を担うサーバと、前記保管容器に収容された薬品や医薬品または危険物等を保管するための保管庫と、前記保管庫が設置された保管室の出入り口に設置され、かつ前記保管室への入室または前記保管室からの退室を制限する電気錠付ドアと、前記保管室へ入室または前記保管室から退室する人物、すなわち前記保管容器に収容された内容物を使用する使用者を特定する手段、例えば非接触で情報のやり取りを行うことが可能な非接触ＩＣカードからなるＩＤカードと、前記電気錠付ドアに併設され、かつ前記保管室へ入室または前記保管室から退室する人物を特定する手段のＩＤ情報、例えば前記非接触ＩＣカードに内設されたＩＣチップのメモリ領域に記録されている前記人物の名前や生年月日等の個人を識別するための情報を読み取る手段、例えばＩＤカードリーダと、前記保管庫に保管されている単数または複数の前記保管容器の各々に取り付けられた前記電力受信用アンテナおよび前記ＲＦＩＤと、前記保管庫の所定の箇所、例えば前記保管庫の甲板部に設置され、かつ前記ＲＦＩＤに格納されているＰＩＤ情報を読み取る手段、すなわち前記ＲＦＩＤが発信する無線信号を受信するための受信アンテナを備えたＲＦＩＤリーダとからなるのがよい。
【００１６】
前記ＩＤカードのＩＤ情報は、前記ＩＤカードリーダに接続されている前記サーバに送信され、かつ前記ＲＦＩＤが発信する無線信号、すなわち前記保管容器に収容された薬品や医薬品または危険物等の内容物に関するＰＩＤ情報は、前記ＲＦＩＤリーダに接続されている前記サーバに送信されるのが好適である。
【００１７】
さらに、前記管理システムは、前述した構成に加えて、前記ＲＦＩＤ内のメモリ領域に格納された情報の読み取り、または前記ＲＦＩＤ内のメモリ領域への情報の書き込みを、前記ＲＦＩＤ毎に個別に行う手段、例えば片手で持って操作が可能なハンディリーダライタと、前記電力受信用アンテナ、および前記ＲＦＩＤに対して、無線により電力を供給する手段、すなわち電力を、電波で送信して供給、または電磁誘導で供給するための電力送信用アンテナを有した電力供給装置と、前記保管容器および前記保管容器の内部に収容された薬品や医薬品または危険物等の内容物の重量を計測する手段、例えば重量計とからなるのがよい。
【００１８】
計測された前記保管容器および前記保管容器の内部に収容された薬品や医薬品または危険物等の内容物の重量に関する情報は、前記サーバへ送信され、さらに前記サーバを経由して前記ハンディリーダライタに送信され、その後、前記ハンディリーダライタによって、当該ＲＦＩＤのメモリ領域に書き込まれ記録されるのが好ましい。
【００１９】
また特に、前記管理システムで使用される前記保管容器は、前述したような、収容部、例えばそのネック部分がねじ切りされたボトルと、蓋部、例えばその内側面がねじ切りされたキャップとが螺合して、前記キャップを回転させて前記ボトルの口を開閉可能にする薬品や医薬品または危険物等の内容物の保管容器に対し、無線による電力、すなわち電波あるいは電磁誘導による電磁波エネルギーを受信する電力受信用アンテナ、例えばボトルの腹部の外周に沿って銅線を巻回して構成されたソレノイドコイルからなる電力受信用アンテナと、前記電力受信用アンテナによって受信された電力により前記キャップの回転を禁止または許可することを可能にする施錠開錠機構、すなわち前記電力受信用アンテナが前記電力を受信しないときに施錠状態を維持して前記キャップの回転を禁止し、かつ前記電力を受信したときに開錠状態に切り替えて前記キャップの回転を許可することが可能である機構、つまり前記ボトルのネック部分と螺合した前記キャップの回転の制止およびその解除を電気的に制御することにより前記ボトルの口の開閉を実行することが可能である機構を具備させたものが好適である。
【００２０】
さらに、前記管理システムで使用される前記ＲＦＩＤのＩＣチップは、前記施錠開錠機構を制御するための制御回路を有したものとし、前記ＲＦＩＤは、前記電力受信用アンテナと前記施錠開錠機構との間に配置し、各々と電気的に接続され、外部、例えば前記ハンディリーダライタからの開錠命令無線信号を受信し、前記施錠開錠機構を電気的に制御することが可能であるのが好ましい。
【００２１】
このように、保管容器に収容された内容物、すなわち薬品や医薬品または危険物等を使用する使用者が所持するＩＤカードのＩＤ情報と、保管容器に取り付けられたＲＦＩＤの当該薬品や医薬品または危険物等の内容物のＰＩＤ情報、および当該薬品や医薬品または危険物等の内容物の重量に関する情報とを関連付けてサーバ上で一元的に管理するのが好ましい。
【００２２】
すなわち本発明によれば、収容部と蓋部とからなり、前記蓋部は前記収容部に螺合して前記収容部を開閉する保管容器であって、無線により電力を受信する電力受信用アンテナと、前記電力受信用アンテナと接続され、前記収容部を開閉する施錠開錠機構を具備し、前記施錠開錠機構は、前記電力受信用アンテナが前記電力を受信しないときに施錠し、前記電力を受信したときに開錠する保管容器が得られる。
【００２３】
本発明によれば、前記保管容器の前記収容部に収容される内容物が、薬品、医薬品または危険物である前記保管容器が得られる。
【００２４】
本発明によれば、前記施錠開錠機構を前記収容部に設けた前記保管容器が得られる。
【００２５】
本発明によれば、前記施錠開錠機構を前記蓋部に設けた前記保管容器が得られる。
【００２６】
本発明によれば、前記電力受信用アンテナと前記施錠開錠機構との間に接続され、前記施錠開錠機構を制御する制御回路を有するＲＦＩＤを具備した前記保管容器が得られる。
【００２７】
本発明によれば、前記ＲＦＩＤは、前記保管容器および前記保管容器の内部に収容された内容物の重量を、前記ＲＦＩＤ内のメモリ領域に記録する機能を有した前記保管容器が得られる。
【００２８】
また、本発明によれば、  サーバと、前記保管容器の内部に収容された内容物を保管するための保管庫と、前記保管庫が設置された保管室の出入り口に設置され、かつ前記保管室への入室または前記保管室からの退室を制限する電気錠付ドアと、前記保管室へ入室または前記保管室から退室する人物を特定する手段と、前記電気錠付ドアに併設され、かつ前記保管室へ入室または前記保管室から退室する人物を特定する手段のＩＤ情報を読み取る手段と、前記保管庫に保管されている単数または複数の前記保管容器の各々に取り付けられた電力受信用アンテナおよびＲＦＩＤと、前記保管庫の所定の箇所に設置され、かつ前記ＲＦＩＤのＰＩＤ情報を読み取る手段とを有し、前記ＩＤ情報、および前記ＰＩＤ情報を前記サーバへ送信する処理を行うとともに、前記ＲＦＩＤ内のメモリ領域に格納された情報の読み取り、または前記ＲＦＩＤ内のメモリ領域への情報の書き込みを、前記ＲＦＩＤ毎に個別に行う手段と、前記電力受信用アンテナ、および前記ＲＦＩＤに対して無線により電力を供給する手段と、前記保管容器および前記保管容器の内部に収容された内容物の重量を計測する手段とを有し、計測された前記保管容器および前記保管容器の内部に収容された内容物の重量に関する情報を、前記サーバへ送信し、かつ前記ＲＦＩＤのメモリ領域に記録する処理を行うよう構成した内容物の管理システムが得られる。
【００２９】
本発明によれば、前記保管容器の前記収容部に収容される内容物が、薬品、医薬品または危険物である前記内容物の管理システムが得られる。
【００３０】
本発明によれば、前記保管容器は、収容部と蓋部とからなり、前記蓋部は前記収容部に螺合して前記収容部を開閉する保管容器であって、無線により電力を受信する前記電力受信用アンテナと、前記電力受信用アンテナと接続され、前記収容部を開閉する施錠開錠機構を具備し、前記施錠開錠機構は、前記電力受信用アンテナが前記電力を受信しないときに施錠し、前記電力を受信したときに開錠する前記内容物の管理システムが得られる。
【００３１】
本発明によれば、前記ＲＦＩＤは、前記電力受信用アンテナと前記施錠開錠機構との間に接続され、前記施錠開錠機構を制御する制御回路を有した前記内容物の管理システムが得られる。
【発明の効果】
【００３２】
本発明は、薬品や医薬品または危険物等の内容物の保管容器に、電力受信用アンテナと、ＲＦＩＤと、前記電力受信用アンテナで受信した電力で動作、あるいは前記電力と前記ＲＦＩＤからの制御信号とで動作する施錠開錠機構を前記保管容器に具備させ、なおかつ、薬品や医薬品または危険物等の内容物を使用する使用者のＩＤ情報と、前記薬品や医薬品または危険物等の内容物のＰＩＤ情報と、前記薬品や医薬品または危険物等の内容物の重量に関する情報とを関連付けてサーバ上で一元的に管理することにより、薬品や医薬品または危険物等の内容物を不正に取り出して使用されること、あるいは薬品や医薬品または危険物等の内容物を不正に持ち出したりすることを防ぐことができる。
【発明を実施するための最良の形態】
【００３３】
薬品や医薬品または危険物等の保管容器には様々な形態のものが存在するが、収容部と蓋部とから構成されるボトル形状のものが一般的に使用されている。収容部、すなわちボトルのネック部分には雄ねじ加工あるいは雌ねじ加工が施され、蓋部、すなわちキャップの内側面には、これに適合した雌ねじ加工あるいは雄ねじ加工が施され、ボトルのネック部分とキャップとが螺合してなり、キャップを回転させることによりボトルの口を開け、ボトルの内部に収容されている内容物を取り出すことができる。ただし、ボトル自体は、円筒形状、あるいは角柱形状等、様々な形状のものであってよいが、ボトルのネック部分の端面、すなわちボトルの口の形状、およびこれに適合するキャップの内側の形状は、円形に限定される。
【００３４】
以下、本発明では、本発明を実施するための最良の形態として、上述したボトルとキャップからなる保管容器を用いた場合を例示して、図面を参照しながら説明する。
【００３５】
（第１の実施の形態）
第１の実施の形態について、図１および図５を用いて説明する。図１は、本発明の第１の実施の形態の内部構造を示す概略側断面図である。図１（ａ）は、薬品や医薬品または危険物等の保管容器の施錠開錠機構が施錠された状態を示し、図１（ｂ）は、薬品や医薬品または危険物等の保管容器の施錠開錠機構が開錠された状態を示す。
【００３６】
図１（ａ）および図１（ｂ）に示すように、薬品や医薬品または危険物等の保管容器（以下、保管容器という）１は、ボトル２とキャップ３からなり、ボトル２の内側の側面には施錠開錠機構４が設けられている。施錠開錠機構４は、少なくともロックピン５、磁石６、電磁コイル７、およびばね８で構成され、ロックピン５は、電磁コイル７に通電される電流の有無により、ばね８を伸縮させ、矢印で示す鉛直方向に可動するものである。また、施錠開錠機構４は、ロックピン５が鉛直方向に可動するように、ボトル２の内側の側面に、接着剤、ビス等の接着手段あるいは固定手段により固定されている。
【００３７】
キャップ３の側部の肉厚部分の一部には溝部９が形成されている。また、ボトル２の肩部の肉厚部分の一部には貫通孔１０が形成されている。貫通孔１０は、可動するロックピン５の先端部を通過させることが可能な位置にあり、および可動するロックピン５の先端部を通過させることが可能な形状を有し、溝部９は、貫通孔１０を通過したロックピン５の先端部を当接させることが可能な位置にあり、および貫通孔１０を通過したロックピン５の先端部を当接させることが可能な形状ならびに溝深さを有する。ただし、溝部９および貫通孔１０ならびにロックピン５は、ボトル２の口がキャップ３で緩み無く完全に閉められた状態にあるとき、同一軸線上に位置する。
【００３８】
また、ボトル２の外側の側面には、電力受信用アンテナ１１が取り付けられている。図５は、電力受信用アンテナが保管容器に取り付けられた状態を示す側面図および底面図である。図５（ａ）および図５（ｂ）は、ボトルにソレノイドコイルからなる電力受信用アンテナを取り付けた状態を示す側面図および底面図である。図５（ａ）および図５（ｂ）に示した電力受信用アンテナ１１は、図１に示した電力受信用アンテナ１１の一例を示したものである。
【００３９】
電力受信用アンテナ１１は、絶縁被覆された銅線を、ボトル２の腹部分の外側の側面に沿って複数回巻回し、ボトル２の外側の側面に接着剤等により固定したソレノイドコイルからなる。
【００４０】
また、図１において、電力受信用アンテナ１１は、施錠開錠機構４の電磁コイル７と電気的に接続される。ただし、この場合、電力受信用アンテナ１１は保管容器１の外側にあり、電磁コイル７は保管容器１の内側にあるので、電力受信用アンテナ１１および電磁コイル７の各々の端子は、ボトル２の側部あるいはボトル２の底部の肉厚部分を貫通して接続される。
【００４１】
また、電力受信用アンテナ１１は、外部の電力供給手段（図示せず）により供給される電力を受信する。電力は、電波の送信による電波方式、あるいは電磁誘導現象を利用した電磁誘導方式のいずれかにより無線で供給され、これをボトル２の外側の側面に取り付けられた電力受信用アンテナ１１が受信する。
【００４２】
図１（ａ）において、電力受信用アンテナ１１は、外部の電力供給手段（図示せず）から無線による電力を受信していない。このとき、受電していない施錠開錠機構４の電磁コイル７の作用により、ばね８が伸びた状態にあり、ロックピン５は、鉛直方向にあって矢印の示す向き（図１（ａ）では上向き）にスライドした状態を維持している。つまりロックピン５の先端部は、ボトル２の肩部の肉厚部分に形成した貫通孔１０を通過し、キャップ３の側部の肉厚部分に形成した溝部９に嵌合された状態、すなわち施錠された状態にある。この場合、キャップ３を回転させて、ボトル２の口を開けようと試みても、キャップ３の側部の肉厚部分に形成した溝部９に嵌合されたロックピン５の存在により、キャップ３の回転が制止され、ボトル２の口は開封されず、ボトル２の内部にある内容物を取り出すことはできない。
【００４３】
図１（ｂ）において、電力受信用アンテナ１１は、外部の電力供給手段（図示せず）から無線による電力を受信している。このとき、受電した施錠開錠機構４の電磁コイル７の作用により、ばね８が縮んだ状態にあり、ロックピン５は、鉛直方向にあって矢印の示す向き（図１（ｂ）では下向き）にスライドした状態を維持している。つまりロックピン５の先端部は、キャップ３の側部の肉厚部分に形成した溝部９から外れた状態、すなわち開錠された状態にある。この場合、キャップ３を回転させて、ボトル２の口を開けようと試みると、キャップ３の側部の肉厚部分に形成した溝部９に嵌合されるロックピン５の不在により、キャップ３の回転が解除され、ボトル２の口を開封し、ボトル２の内部にある内容物を取り出すことができる。
【００４４】
すなわち、保管容器１に収容されている内容物、例えば薬品等を使用する使用者は、これを管理している管理者の許可、すなわち保管容器１に取り付けられた電力受信用アンテナ１１に対して、外部の電力供給手段（図示せず）から無線による電力を送信するための許可を得ない限り、保管容器１を開封することはできない。その結果、保管容器１に収容されている薬品等を取り出すことはできない。
【００４５】
（第２の実施の形態）
第２の実施の形態について、図２および図５を用いて説明する。図２は、本発明の第２の実施の形態の内部構造を示す概略側断面図である。図２（ａ）は、薬品や医薬品または危険物等の保管容器の施錠開錠機構が施錠された状態を示し、図２（ｂ）は、薬品や医薬品または危険物等の保管容器の施錠開錠機構が開錠された状態を示す。
【００４６】
図２（ａ）、および図２（ｂ）に示すように、保管容器１は、ボトル２とキャップ３からなり、キャップ３の天板部であって、キャップ３の内側の底面、すなわちボトル２のネック部分の端面と接する面には施錠開錠機構４が設けられている。施錠開錠機構４は、少なくともロックピン５、磁石６、電磁コイル７、およびばね８で構成され、ロックピン５は、電磁コイル７に通電される電流の有無により、ばね８を伸縮させ、矢印で示す水平方向に可動するものである。また、施錠開錠機構４は、ロックピン５が水平方向に可動するように、キャップ３の天板部であって、キャップ３の内側の底面に、接着剤、ビス等の接着手段あるいは固定手段により固定されている。
【００４７】
キャップ３の側部の肉厚部分の一部には溝部９が形成されている。また、ボトル２のネック部分の肉厚部分の一部には貫通孔１０が形成されている。貫通孔１０は、可動するロックピン５の先端部を通過させることが可能な位置にあり、および可動するロックピン５の先端部を通過させることが可能な形状を有し、溝部９は、貫通孔１０を通過したロックピン５の先端部を当接させることが可能な位置にあり、および貫通孔１０を通過したロックピン５の先端部を当接させることが可能な形状ならびに溝深さを有する。ただし、溝部９および貫通孔１０ならびにロックピン５は、ボトル２の口がキャップ３で緩み無く完全に閉められた状態にあるとき、同一軸線上に位置する。
【００４８】
また、キャップ３の外側の側面には、電力受信用アンテナ１１が取り付けられている。図５は、電力受信用アンテナが保管容器に取り付けられた状態を示す側面図および底面図である。図５（ｃ）および図５（ｄ）は、キャップにソレノイドコイルからなる電力受信用アンテナを取り付けた状態を示す側面図および上面図である。図５（ｃ）および図５（ｄ）に示した電力受信用アンテナ１１は、図２に示した電力受信用アンテナ１１の一例を示したものである。
【００４９】
電力受信用アンテナ１１は、絶縁被覆された銅線を、キャップ３の外側の側面に沿って複数回巻回し、キャップ３の外側の側面に接着剤等により固定したソレノイドコイルからなる。
【００５０】
また、図２において、電力受信用アンテナ１１は、施錠開錠機構４の電磁コイル７と電気的に接続される。ただし、この場合、電力受信用アンテナ１１は保管容器１の外側にあり、電磁コイル７は保管容器１の内側にあるので、電力受信用アンテナ１１および電磁コイル７の各々の端子は、キャップ３の天板部あるいはキャップ３の側部の肉厚部分を貫通して接続される。
【００５１】
また、電力受信用アンテナ１１は、外部の電力供給手段（図示せず）により供給される電力を受信する。電力は、電波の送信による電波方式、あるいは電磁誘導現象を利用した電磁誘導方式のいずれかにより無線で供給され、これをキャップ３の外側の側面に取り付けられた電力受信用アンテナ１１が受信する。
【００５２】
図２（ａ）において、電力受信用アンテナ１１は、外部の電力供給手段（図示せず）から無線による電力を受信していない。このとき、受電していない施錠開錠機構４の電磁コイル７の作用により、ばね８が伸びた状態にあり、ロックピン５は、水平方向にあって矢印の示す向き（図２（ａ）では左向き）にスライドした状態を維持している。つまりロックピン５の先端部は、ボトル２のネック部分の肉厚部分に形成した貫通孔１０を通過し、キャップ３の側部の肉厚部分に形成した溝部９に嵌合された状態、すなわち施錠された状態にある。この場合、キャップ３を回転させて、ボトル２の口を開けようと試みても、キャップ３の側部の肉厚部分に形成した溝部９に嵌合されたロックピン５の存在により、キャップ３の回転が制止され、ボトル２の口は開封されず、ボトル２の内部にある内容物を取り出すことはできない。
【００５３】
図２（ｂ）において、電力受信用アンテナ１１は、外部の電力供給手段（図示せず）から無線による電力を受信している。このとき、受電した施錠開錠機構４の電磁コイル７の作用により、ばね８が縮んだ状態にあり、ロックピン５は、水平方向にあって矢印の示す向き（図２（ｂ）では右向き）にスライドした状態を維持している。つまりロックピン５の先端部は、キャップ３の側部の肉厚部分に形成した溝部９から外れた状態、すなわち開錠された状態にある。この場合、キャップ３を回転させて、ボトル２の口を開けようと試みると、キャップ３の側部の肉厚部分に形成した溝部９に嵌合されるロックピン５の不在により、キャップ３の回転が解除され、ボトル２の口を開封し、ボトル２の内部にある内容物を取り出すことができる。
【００５４】
すなわち、保管容器１に収容されている内容物、例えば薬品等を使用する使用者は、これを管理している管理者の許可、すなわち保管容器１に取り付けられた電力受信用アンテナ１１に対して、外部の電力供給手段（図示せず）から無線による電力を送信するための許可を得ない限り、保管容器１を開封することはできない。その結果、保管容器１に収容されている薬品等を取り出すことはできない。
【００５５】
（第３の実施の形態）
第３の実施の形態について、図３を用いて説明する。図３は、本発明の第３の実施の形態の内部構造を示す概略側断面図である。図３（ａ）は、薬品や医薬品または危険物等の保管容器の施錠開錠機構が施錠された状態を示し、図３（ｂ）は、薬品や医薬品または危険物等の保管容器の施錠開錠機構が開錠された状態を示す。
【００５６】
図３（ａ）および図３（ｂ）に示すように、保管容器１は、ボトル２とキャップ３からなり、ボトル２の内側の側面には施錠開錠機構４が設けられている。前記施錠開錠機構４は、上述の第１の実施の形態で例示した構成と同様のものである。また、キャップ３の側部の肉厚部分の一部に形成した溝部９、およびボトル２の肩部の肉厚部分の一部に形成した貫通孔１０、ならびにボトル２の外側の側面に取り付けられた電力受信用アンテナ１１についても上述の第１の実施の形態で例示した構成と同様のものである。
【００５７】
ボトル２の外側の任意の面上には、ＲＦＩＤ１２が取り付けられている。ＲＦＩＤ１２は、その裏面に接着剤等の接着手段を有したものであり、これを介して接着、固定されている。また、ＲＦＩＤ１２は、施錠開錠機構４の電磁コイル７と電力受信用アンテナ１１の間に配置され、各々と電気的に接続されている。ＲＦＩＤ１２は、基材上に、少なくとも施錠開錠機構４を制御する制御回路とメモリを有したＩＣチップ（図示せず）、および無線信号の送受信とＩＣチップ（図示せず）を駆動するための無線による電力を受信するＲＦＩＤ用アンテナ（図示せず）とを備えたものからなる。
【００５８】
ＲＦＩＤ１２のＩＣチップ（図示せず）の制御回路は、電力受信用アンテナ１１が無線による電力を受信した際、電磁コイル７へ、当該電力を供給するか否かを制御する機能を有する。すなわち、ＲＦＩＤ用アンテナ（図示せず）が、電磁コイル７への電力供給を許可する命令無線信号を、外部から受信した場合に限り、電力が電磁コイル７へ供給される。
【００５９】
図３（ａ）において、施錠開錠機構４の電磁コイル７は受電していない。仮に、電力受信用アンテナ１１が、外部の電力供給手段（図示せず）から無線による電力を受信していたとしても、ＲＦＩＤ用アンテナ（図示せず）は、電磁コイル７への電力供給を許可する命令無線信号を、外部から受信していないので、ＩＣチップ（図示せず）の制御回路の判断によって電磁コイル７には電力が供給されない。このとき、受電していない施錠開錠機構４の電磁コイル７の作用により、ばね８が伸びた状態にあり、ロックピン５は、鉛直方向にあって矢印の示す向き（図３（ａ）では上向き）にスライドした状態を維持している。つまりロックピン５の先端部は、ボトル２の肩部の肉厚部分に形成した貫通孔１０を通過し、キャップ３の側部の肉厚部分に形成した溝部９に嵌合された状態、すなわち施錠された状態にある。この場合、キャップ３を回転させて、ボトル２の口を開けようと試みても、キャップ３の側部の肉厚部分に形成した溝部９に嵌合されたロックピン５の存在により、キャップ３の回転が制止され、ボトル２の口は開封されず、ボトル２の内部にある内容物を取り出すことはできない。
【００６０】
図３（ｂ）において、施錠開錠機構４の電磁コイル７は受電している。すなわち電力受信用アンテナ１１は、外部の電力供給手段（図示せず）から無線による電力を受信していると同時に、ＲＦＩＤ用アンテナ（図示せず）は、電磁コイル７への電力供給を許可する命令無線信号を、外部から受信しているので、ＩＣチップ（図示せず）の制御回路の判断によって電磁コイル７には電力が供給される。このとき、受電した施錠開錠機構４の電磁コイル７の作用により、ばね８が縮んだ状態にあり、ロックピン５は、鉛直方向にあって矢印の示す向き（図３（ｂ）では下方向）にスライドした状態を維持している。つまりロックピン５の先端部分は、キャップ３の側部の肉厚部分に形成した溝部９から外れた状態、すなわち開錠された状態にある。この場合、キャップ３を回転させて、ボトル２の口を開けようと試みると、キャップ３の側部の肉厚部分に形成した溝部９に嵌合されるロックピン５の不在により、キャップ３の回転が解除され、ボトル２の口を開封し、ボトル２の内部にある内容物を取り出すことができる。
【００６１】
すなわち、保管容器１に収容されている内容物、例えば薬品等を使用する使用者は、これを管理している管理者の許可、すなわち保管容器１に取り付けられた電力受信用アンテナ１１に対して、外部の電力供給手段（図示せず）から無線による電力を送信するための許可、および保管容器１に取り付けられたＲＦＩＤ１２に対して、電磁コイル７への電力供給を許可する命令無線信号を、外部から送信するための許可を得ない限り、保管容器１を開封することはできない。その結果、保管容器１に収容されている薬品等を取り出すことはできない。
【００６２】
（第４の実施の形態）
第４の実施の形態について、図４を用いて説明する。図４は、本発明の第４の実施の形態の内部構造を示す概略側断面図である。図４（ａ）は、薬品や医薬品または危険物等の保管容器の施錠開錠機構が施錠された状態を示し、図４（ｂ）は、薬品や医薬品または危険物等の保管容器の施錠開錠機構が開錠された状態を示す。
【００６３】
図４（ａ）および図４（ｂ）に示すように、保管容器１は、ボトル２とキャップ３からなり、キャップ３の天板部であって、キャップ３の内側の底面、すなわちボトル２のネック部分の端面と接する面には施錠開錠機構４が設けられている。前記施錠開錠機構４は、上述の第２の実施の形態で例示した構成と同様のものである。また、キャップ３の側部の肉厚部分の一部に形成した溝部９、およびボトル２のネック部分の肉厚部分の一部に形成した貫通孔１０、ならびにキャップ３の外側の側面に取り付けられた電力受信用アンテナ１１についても上述の第２の実施の形態で例示した構成と同様のものである。
【００６４】
キャップ３の外側の任意の面上には、ＲＦＩＤ１２が取り付けられている。ＲＦＩＤ１２は、その裏面に接着剤等の接着手段を有したものであり、これを介して接着、固定されている。また、ＲＦＩＤ１２は、施錠開錠機構４の電磁コイル７と電力受信用アンテナ１１の間に配置され、各々と電気的に接続されている。ＲＦＩＤ１２の構成、およびＩＣチップ（図示せず）の制御回路の機能等は、上述の第３の実施の形態で例示したものと同様である。
【００６５】
図４（ａ）において、施錠開錠機構４の電磁コイル７は受電していない。仮に、電力受信用アンテナ１１が、外部の電力供給手段（図示せず）から無線による電力を受信していたとしても、ＲＦＩＤ用アンテナ（図示せず）は、電磁コイル７への電力供給を許可する命令無線信号を、外部から受信していないので、ＩＣチップ（図示せず）の制御回路の判断によって電磁コイル７には電力が供給されない。このとき、受電していない施錠開錠機構４の電磁コイル７の作用により、ばね８が伸びた状態にあり、ロックピン５は、水平方向にあって矢印の示す向き（図４（ａ）では左向き）にスライドした状態を維持している。つまりロックピン５の先端部は、ボトル２のネック部分の肉厚部分に形成した貫通孔１０を通過し、キャップ３の側部の肉厚部分に形成した溝部９に嵌合された状態、すなわち施錠された状態にある。この場合、キャップ３を回転させて、ボトル２の口を開けようと試みても、キャップ３の側部の肉厚部分に形成した溝部９に嵌合されたロックピン５の存在により、キャップ３の回転が制止され、ボトル２の口は開封されず、ボトル２の内部にある内容物を取り出すことはできない。
【００６６】
図４（ｂ）において、施錠開錠機構４の電磁コイル７は受電している。すなわち電力受信用アンテナ１１は、外部の電力供給手段（図示せず）から無線による電力を受信していると同時に、ＲＦＩＤ用アンテナ（図示せず）は、電磁コイル７への電力供給を許可する命令無線信号を、外部から受信しているので、ＩＣチップ（図示せず）の制御回路の判断によって電磁コイル７には電力が供給される。このとき、受電した施錠開錠機構４の電磁コイル７の作用により、ばね８が縮んだ状態にあり、ロックピン５は、鉛直方向にあって矢印の示す向き（図４（ｂ）では右向き）にスライドした状態を維持している。つまりロックピン５の先端部分は、キャップ３の側部の肉厚部分に形成した溝部９から外れた状態、すなわち開錠された状態にある。この場合、キャップ３を回転させて、ボトル２の口を開けようと試みると、キャップ３の側部の肉厚部分に形成した溝部９に嵌合されるロックピン５の不在により、キャップ３の回転が解除され、ボトル２の口を開封し、ボトル２の内部にある内容物を取り出すことができる。
【００６７】
すなわち、保管容器１に収容されている内容物、例えば薬品等を使用する使用者は、これを管理している管理者の許可、すなわち保管容器１に取り付けられた電力受信用アンテナ１１に対して、外部の電力供給手段（図示せず）から無線による電力を送信するための許可、および保管容器１に取り付けられたＲＦＩＤ１２に対して、電磁コイル７への電力供給を許可する命令無線信号を、外部から送信するための許可を得ない限り、保管容器１を開封することはできない。その結果、保管容器１に収容されている薬品等を取り出すことはできない。
【００６８】
上述の第１の実施の形態および第３の実施の形態で例示した施錠開錠機構４は、ボトル２の内側の側面に固定されるのが好適であるが、ボトル２の内側の底面に固定されてもよい。また、第１の実施の形態ないし第４の実施の形態で例示した施錠開錠機構４は、ロックピン５、磁石６、電磁コイル７およびばね８で構成したものとしたが、電力受信用アンテナ１１を介して供給される電力で動作する機構を有するものであれば、これに限定されず、例えば圧電効果を有する部材を利用したアクチュエータによる施錠開錠機構や、形状記憶効果を有する部材を利用したアクチュエータによる施錠開錠機構等であってもよい。
【００６９】
また、上述の第１の実施の形態および第３の実施の形態で例示した貫通孔１０は、ボトル２の肩部に形成するようにしたが、必ずしも肩部に形成する必要はなく、例えばボトル２の形状によっては、ロックピン５を直接ボトル２の口から出す構造としてもよく、この場合、貫通孔１０は不要となる。ただし、このときの溝部９は、キャップ３の天板部の肉厚部分に形成される。また、上述の第１の実施の形態ないし第４の実施の形態で例示した溝部９は、キャップ３の締め具合が十分でない場合、すなわち溝部９および貫通孔１０ならびにロックピン５が完全な同一軸線上に位置せず、各々が幾らかずれた位置にある場合であっても、ロックピン５が溝部９に確実に嵌合するよう、キャップ３の周方向に沿って、キャップ２の溝部９に遊びの部分を設けるとなおよい。
【００７０】
また、上述の第１の実施の形態ないし第４の実施の形態で例示した電力受信用アンテナ１１は、図５で示したソレノイドコイルからなる電力受信用アンテナ１１以外に、例えば図６に示すような電力受信用アンテナ１１であってもよい。図６は、電力受信用アンテナが保管容器に取り付けられた状態を示す側面図および底面図である。図６（ａ）および図６（ｂ）は、ボトルに渦巻状コイルからなる電力受信用アンテナを取り付けた状態を示す側面図および底面図であり、図６（ｃ）および図６（ｄ）は、キャップに渦巻状コイルからなる電力受信用アンテナを取り付けた状態を示す側面図および上面図である。前記渦巻状コイルからなる電力受信用アンテナ１１は、例えば基材上に、絶縁被覆された銅線を渦巻状に形成したものからなり、ボトル２の外側の底面あるいはキャップ３の外側の上面に接着剤等により接着して取り付けられる。あるいは、図６（ａ）および図６（ｂ）で例示した以外に、前記渦巻状コイルからなる電力受信用アンテナ１１をボトル２の外側の側面に取り付けてもよい。また、第１の実施の形態ないし第４の実施の形態で例示した電力受信用アンテナ１１は、ボトル２あるいはキャップ３の外側に取り付けるのが好適であるが、ボトル２あるいはキャップ３の内側に取り付けてもよく、ボトル２あるいはキャップ３の肉厚部分に埋設されてもよい。
【００７１】
さらに、上述した最良の実施の形態３で例示した保管容器を用いて、薬品や医薬品または危険物等を使用する使用者のＩＤ情報と、前記薬品や医薬品または危険物等の内容物のＰＩＤ情報と、前記薬品や医薬品または危険物等の内容物の重量に関する情報とを関連付けて一元的に管理することが可能な薬品や医薬品または危険物等の内容物の管理システムについて、以下に実施例を示し、図面を参照しながら説明する。
【実施例】
【００７２】
薬品や医薬品または危険物等の内容物の管理システムの実施例について、図７および図８を用いて詳説する。図７は、本発明の薬品や医薬品または危険物等の内容物の管理システムの実施例の全体構成を模式的に示す図である。
【００７３】
本発明の薬品や医薬品または危険物等の内容物の管理システム（以下、管理システムという）は、サーバ２０と、薬品や医薬品または危険物等の保管室（以下、保管室という）１３に設置された薬品や医薬品または危険物等の保管庫（以下、保管庫という）１４と、保管室１３の出入り口に設置された電気錠付ドア１７と、保管室１３へ入室または保管室１３から退室する人物を特定するためのＩＤカード１９、および電気錠付ドア１７に併設され、ＩＤカード１９の情報を読み取るＩＤカードリーダ１６とを備える。
【００７４】
さらに、保管室１３に設置された保管庫１４の内部には、粉末状の薬品が収容されたボトルとキャップからなる保管容器１が複数個保管されている。保管容器１には、施錠開錠機構（図示せず）と、電力受信用アンテナ１１と、ＲＦＩＤ１２が取り付けられている。施錠開錠機構（図示せず）と、電力受信用アンテナ１１と、ＲＦＩＤ１２の各々は電気的に接続されている。また、保管庫１４の内部の甲板部にはＲＦＩＤリーダ１５が取り付けられている。
【００７５】
また、保管室１３の室内には、ハンディリーダライタ２１と、電力供給装置２２と、重量計２３が、保管庫１４に隣接して設置されている。
【００７６】
図８は、本発明の薬品や医薬品または危険物等の内容物の管理システムの実施例の運用方法および処理手順の概要を示すフローチャートである。以下、このフローに従って説明する。
【００７７】
まず、保管室１３の保管庫１４に保管されている薬品を使用する目的で、保管室１３へ入室を希望する人物は、これを管理している管理者に対して、入室の許可を得るための申請を行う。保管室１３へ入室する人物、および前記保管室１３へ入室した後、前記保管室１３から退室する前記人物（以下「申請者」という）は、申請書に、申請者１８の名前、使用する薬品の名称、使用する薬品の分量等の必要事項を記入し、管理者に提出する。管理者はこれを受理し、申請書に記載された申請内容に関する情報を、端末装置（図示せず）を用いてサーバ２０に送信し、これをサーバ２０にて登録、管理する。
【００７８】
また、申請者１８は、非接触ＩＣカードからなるＩＤカード１９を所持している。ＩＤカード１９には、申請者１８のＩＤ情報、すなわち申請者１８を特定するための名前や生年月日等の固有情報が格納されている。前記ＩＤ情報は、サーバ２０にあらかじめ登録されており、前記申請内容に関する情報と比較、照合する際に使用される。
【００７９】
保管室１３へ入室する際、申請者１８は、所持しているＩＤカード１９を、保管室１３の出入り口に併設されたＩＤカードリーダ１６に近接させる。このときＩＤカードリーダ１６は、当該ＩＤカード１９を検知し（ステップＳ１）、そのＩＤ情報を読み取る。読み取られたＩＤカード１９のＩＤ情報は、直ちにサーバ２０に送信される。サーバ２０は、当該申請者１８が管理者の許可を得た申請者１８であるか否かの照合を行う（ステップＳ２）。
【００８０】
照合の結果、許可されている申請者１８であれば、保管室１３の出入り口の電気錠付ドア１７の電気錠が開錠される。そして電気錠付ドア１７が開き（ステップＳ３）、申請者１８は保管室１３へ入室できる。許可されていない申請者１８であれば、電気錠は開錠されない。よって電気錠付ドア１７が開かず（ステップＳ１９）、申請者１８は保管室１３へ入室できない。
【００８１】
保管室１３には、保管庫１４が設置されており、保管庫１４の内部には保管容器１に収容された種々の薬品が複数個置かれている。各々の保管容器１は、ボトルとキャップからなるものであり、ボトルの内側には施錠開錠機構（図示せず）が取り付けられ、ボトルの外側にはソレノイドコイルからなる電力受信用アンテナ１１とＲＦＩＤ１２が取り付けられている。
【００８２】
また、施錠開錠機構（図示せず）と、電力受信用アンテナ１１と、ＲＦＩＤ１２は、互いが電気的に接続された状態にある。また、サーバ２０には、保管庫１４に保管されている全薬品に関するＰＩＤ情報があらかじめ登録されている。
【００８３】
各々のＲＦＩＤ１２は、保管庫１４に隣接して設置された電力供給装置２２から無線による電力の供給を受け、自身のＰＩＤ情報、すなわち各々の保管容器１に収容されている薬品の名称等を記録した固有情報を保管庫１４の内部で発信している。
【００８４】
また、保管庫１４の内部の甲板部には、ＲＦＩＤリーダ１５が設置されている。ＲＦＩＤリーダ１５は、各々のＲＦＩＤ１２が発信するＰＩＤ情報を読み取る機能を有する。前記ＰＩＤ情報は、ＲＦＩＤリーダ１５を介して、サーバ２０に常時送信されており、サーバ２０は、このＲＦＩＤ１２のＰＩＤ情報を基に、サーバ２０に登録されているＰＩＤ情報と比較、照合して、保管庫１４に置かれている薬品が収容された保管容器１のすべてについて、その存在の有無を常時監視し管理している。
【００８５】
保管室１３へ入室した申請者１８は、保管庫１４の扉を開けて、所望の薬品が収容されている保管容器１を保管庫１４の外へ取り出す（ステップＳ４）。このとき、ＲＦＩＤリーダ１５は、取り出した保管容器１のボトルに取り付けられているＲＦＩＤ１２が自身の読み取り範囲から外れていること、すなわち当該ＲＦＩＤ１２が発信しているＰＩＤ情報を受信していないという通知を、サーバ２０に送信する。
【００８６】
サーバ２０は、送信された前記通知を、サーバ２０に登録されているＰＩＤ情報と比較、照合し、保管庫１４から取り出された薬品が、あらかじめ管理者によって許可された許可薬品と一致しているかを判断する（ステップＳ５）。
【００８７】
許可されている薬品であれば、そのまま保管庫１４から取り出すことができる。許可されている薬品でなければ、保管室１３の内部に設置されたアラーム（図示せず）を発し（ステップＳ２０）、申請者１８に対し警告する。
【００８８】
次に、申請者１８は、保管庫１４から取り出した保管容器１（以下、許可保管容器という）を、保管庫１４に隣接して設置されている電力供給装置２２および重量計２３が一体化された台状の機器の上部に置く。
【００８９】
電力供給装置２２は、許可保管容器１’に取り付けられている電力受信用アンテナ１１に対し電波、あるいは電磁誘導、すなわち無線にて電力を供給する。この場合は、電力供給装置２２に内設されている電力送信用アンテナ（図示せず）から、許可保管容器１’に取り付けられたソレノイドコイルからなる電力受信用アンテナ１１へ向けて、電磁誘導にて電力を供給する。また、重量計２３は、許可保管容器１’およびこれに収容された薬品の重量を計測する。
【００９０】
ただし、電力供給装置２２および重量計２３は、必ずしも一体化された機器である必要はなく、許可保管容器１’に取り付けられた電力受信用アンテナ１１に対し無線による電力供給が可能であって、これと同時に、許可保管容器１’およびこれに収容された薬品の重量を計測可能なものであれば、それぞれ別個のものであってもよい。
【００９１】
次に、申請者１８は、保管庫１４に隣接して設置されているハンディリーダライタ２１を片手に持ち、これを、電力供給装置２２および重量計２３が一体化された台状の機器の上部に置かれた状態にある許可保管容器１’に取り付けられているＲＦＩＤ１２に近接させ、これに格納されているＰＩＤ情報を読み取る（ステップＳ６）。
【００９２】
ハンディリーダライタ２１は、サーバ２０に接続されている。読み取ったＰＩＤ情報はサーバ２０へ送信され、サーバ２０に登録されているＰＩＤ情報と比較、照合し、あらかじめ管理者によって許可された許可薬品と一致しているか否かを判断する（ステップＳ７）。
【００９３】
許可されている薬品であれば、サーバ２０は許可命令をハンディリーダライタ２１に返す。そしてこれを受けたハンディリーダライタ２１は、許可保管容器１’のボトルの外側に取り付けられているＲＦＩＤ１２に向けて、ボトルの内側に取り付けられている施錠開錠機構（図示せず）の開錠を許可する開錠命令無線信号を送信する（ステップＳ８）。
【００９４】
また同時に、サーバ２０は許可命令を電力供給装置２２に返す。そしてこれを受けた電力供給装置２２は、許可保管容器１’に取り付けられた電力受信用アンテナ１１に向けて、電力を送信する（ステップＳ９）。
【００９５】
これにより、許可保管容器１’のボトルの内側に取り付けられている施錠開錠機構（図示せず）は、開錠された状態になる（ステップＳ１０）。その結果、申請者１８は、許可保管容器１’のキャップを回転させ、ボトルの口を開封することができ、ボトルに収容されている薬品を取り出すことができる。
【００９６】
許可されている薬品でなければ、サーバ２０は許可命令をハンディリーダライタ２１および電力供給装置２２に返さない。よって、ハンディリーダライタ２１は、許可保管容器１’のボトルの外側に取り付けられているＲＦＩＤ１２に向けて、ボトルの内側に取り付けられている施錠開錠機構（図示せず）の開錠を許可する開錠命令無線信号を送信しない。そして同時に、電力供給装置２２は、起動せず、許可保管容器１’に取り付けられた電力受信用アンテナ１１に向けて、電力を送信しない（ステップＳ２１）。
【００９７】
したがって、許可保管容器１’のボトルの内側に取り付けられている施錠開錠機構（図示せず）は、施錠したままの状態を維持する（ステップＳ２２）。その結果、申請者１８は、許可保管容器１’のキャップを回転させ、ボトルの口を開封することができず、ボトルに収容されている薬品を取り出すことができない。
【００９８】
次に、申請者１８は、許可保管容器１’の開封されたボトルから、申請者１８があらかじめ申請してある分量の薬品を取り出す。このとき、薬品が収容された許可保管容器１’は、電力供給装置２２および重量計２３が一体化された台状の機器の上部に置かれたままの状態にある。また、申請者１８が薬品を取り出す作業と同時進行で、当該薬品および許可保管容器１’の重量が重量計２３によって計測されている（ステップＳ１１）。
【００９９】
重量計２３は、サーバ２０に接続されている。計測された重量に関する情報、すなわち取り出した薬品の分量の重量データは、サーバ２０に送信され、サーバ２０に登録されているＰＩＤ情報と比較、照合し、あらかじめ管理者によって許可された許可分量と一致しているか否かを判断する（ステップＳ１２）。
【０１００】
許可されている分量であれば、次のプロセスに移行できる。許可されている分量でなければ、保管室１３の内部に設置されたアラーム（図示せず）を発し（ステップＳ２３）、申請者１８に対し警告する。
【０１０１】
また、保管庫１４に隣接して設置されているハンディリーダライタ２１は、計測された重量に関する情報を、サーバ２０から呼び出し、これを取得する。
【０１０２】
次に、申請者１８は、ハンディリーダライタ２１を片手に持ち、これを、電力供給装置２２および重量計２３が一体化された台状の機器の上部に置かれたままの状態にある許可保管容器１’に取り付けられているＲＦＩＤ１２に近接させ、サーバ２０から取得した、前記計測された重量に関する情報を、前記ＲＦＩＤ１２に書き込む（ステップＳ１３）。
【０１０３】
一方、電力供給装置２２および重量計２３が一体化された台状の機器の上部に置かれたままの状態にある許可保管容器１’は、電力供給装置２２からの電力供給を受けたままである。すなわちボトルの内側に取り付けられている施錠開錠機構（図示せず）は、開錠したままの状態を維持している。申請者１８は、この状態のまま、許可保管容器１’のボトルの口にキャップをかぶせ、さらに回転が制止される位置までキャップを回転させてボトルの口を完全に封止する。
【０１０４】
次に、電力供給装置２２および重量計２３が一体化された台状の機器の上部から、ボトルの口が完全に封止された許可保管容器１’を手で持って取り上げる。このとき、許可保管容器１’は、電力供給装置２２からの電力受信可能範囲から外れる位置にあり、許可保管容器１’に取り付けられた電力受信用アンテナ１１は、電力の受信ができなくなる。この瞬間、許可保管容器１’のボトルの内側に取り付けられている施錠開錠機構（図示せず）は、開錠の状態から施錠の状態へ切り替わる（ステップＳ１４）。この結果、申請者１８は、これ以降、許可保管容器１’のボトルに収容されている薬品を取り出すことはできなくなる。
【０１０５】
次に、申請者１８は、保管庫１４の扉を開け、許可保管容器１’を元の位置に戻す（ステップＳ１５）。このとき、保管庫１４の内部の甲板部に設置されているＲＦＩＤリーダ１５は、戻された許可保管容器１’のボトルに取り付けられているＲＦＩＤ１２が自身の読み取り範囲内にあること、すなわち当該ＲＦＩＤ１２が発信しているＰＩＤ情報を受信しているという通知を、サーバ２０に送信する。
【０１０６】
サーバ２０は、送信された前記通知を、サーバ２０に登録されているＰＩＤ情報と比較、照合し、保管庫１４へ戻された薬品が、あらかじめ管理者によって許可された許可薬品と一致しているかを確認する。
【０１０７】
申請者１８は、許可保管容器１’から取り出した分量の薬品を別個の容器に移し、保管室１３の内部で試験等に使用する。あるいは、申請者１８が、保管室１３の外部で使用する場合は、保管室１３から退室する際に、これを携えて持ち出す。
【０１０８】
次に、保管室１３から退室する際、申請者１８は、所持しているＩＤカード１９を、保管室１３の出入り口に併設されたＩＤカードリーダ１６に近接させる。このときＩＤカードリーダ１６は、当該ＩＤカード１９を検知し（ステップＳ１６）、そのＩＤ情報を読み取る。読み取られたＩＤカード１９のＩＤ情報は、直ちにサーバ２０に送信される。サーバ２０は、送信されたＩＤ情報を元に、管理者の許可を得た申請者１８が、管理者の許可を得た薬品を、管理者の許可を得た分量だけ取り出したか否か、すなわちサーバ２０に登録されている申請内容に関する情報と一致しているか否かを確認し、照合を行う（ステップＳ１７）。
【０１０９】
照合の結果、一致していれば、保管室１３の出入り口の電気錠付ドア１７の電気錠が開錠される。そして電気錠付ドア１７が開き（ステップＳ１８）、申請者１８は保管室１３から退室できる。
【０１１０】
また、一致していなければ、電気錠は開錠されない。よって電気錠付ドア１７は開かない（ステップＳ２４）。これと同時に、保管室１３の内部に設置されたアラーム（図示せず）が発し（ステップＳ２５）、申請者１８に対して警告が与えられる。これにより、申請者１８は、保管室１３から退室できない。また同時に、サーバ２０が、このことを管理者へ通報する（ステップＳ２６）。
【０１１１】
以上、本発明の実施例を詳細に説明したが、これらは例示に過ぎず、本発明の特許請求の範囲を限定するものではない。よって、本発明の特許請求の範囲に記載の技術には、例示した実施例を様々に変形、変更したものも含まれる。
【産業上の利用可能性】
【０１１２】
本発明は、薬品や医薬品または危険物等の管理運用に利用される。例えば病院や薬局等の医薬品の調合施設、あるいは試験や実験で使用する危険物を取り扱う研究施設等において利用される。
【図面の簡単な説明】
【０１１３】
【図１】本発明の第１の実施の形態の内部構造を示す概略側断面図。図１（ａ）は、薬品や医薬品または危険物等の保管容器の施錠開錠機構が施錠された状態を示す図、図１（ｂ）は、薬品や医薬品または危険物等の保管容器の施錠開錠機構が開錠された状態を示す図。
【図２】本発明の第２の実施の形態の内部構造を示す概略側断面図。図２（ａ）は、薬品や医薬品または危険物等の保管容器の施錠開錠機構が施錠された状態を示す図、図２（ｂ）は、薬品や医薬品または危険物等の保管容器の施錠開錠機構が開錠された状態を示す図。
【図３】本発明の第３の実施の形態の内部構造を示す概略側断面図。図３（ａ）は、薬品や医薬品または危険物等の保管容器の施錠開錠機構が施錠された状態を示す図、図３（ｂ）は、薬品や医薬品または危険物等の保管容器の施錠開錠機構が開錠された状態を示す図。
【図４】本発明の第４の実施の形態の内部構造を示す概略側断面図。図４（ａ）は、薬品や医薬品または危険物等の保管容器の施錠開錠機構が施錠された状態を示す図、図４（ｂ）は、薬品や医薬品または危険物等の保管容器の施錠開錠機構が開錠された状態を示す図。
【図５】電力受信用アンテナが保管容器に取り付けられた状態を示す側面図および底面図。図５（ａ）および図５（ｂ）は、ボトルにソレノイドコイルからなる電力受信用アンテナを取り付けた状態を示す側面図および底面図、図５（ｃ）および図５（ｄ）は、キャップにソレノイドコイルからなる電力受信用アンテナを取り付けた状態を示す側面図および上面図。
【図６】電力受信用アンテナが保管容器に取り付けられた状態を示す側面図および底面図。図６（ａ）および図６（ｂ）は、ボトルに渦巻状コイルからなる電力受信用アンテナを取り付けた状態を示す側面図および底面図、図６（ｃ）および図６（ｄ）は、キャップに渦巻状コイルからなる電力受信用アンテナを取り付けた状態を示す側面図および上面図。
【図７】本発明の薬品や医薬品または危険物等の内容物の管理システムの実施例の全体構成を模式的に示す図。
【図８】本発明の薬品や医薬品または危険物等の内容物の管理システムの実施例の運用方法および処理手順の概要を示すフローチャート。
【符号の説明】
【０１１４】
１    保管容器
１’  許可保管容器
２    ボトル
３    キャップ
４    施錠開錠機構
５    ロックピン
６    磁石
７    電磁コイル
８    ばね
９    溝部
１０    貫通孔
１１    電力受信用アンテナ
１２    ＲＦＩＤ
１３    保管室
１４    保管庫
１５    ＲＦＩＤリーダ
１６    ＩＤカードリーダ
１７    電気錠付ドア
１８    申請者
１９    ＩＤカード
２０    サーバ
２１    ハンディリーダライタ
２２    電力供給装置
２３    重量計
【図１】
2010006388.tif 000003
【図２】
2010006388.tif 000004
【図３】
2010006388.tif 000005
【図４】
2010006388.tif 000006
【図５】
2010006388.tif 000007
【図６】
2010006388.tif 000008
【図７】
2010006388.tif 000009
【図８】
2010006388.tif 000010